(57)【要約】【課題】  バレル内に注射針を引き戻す間に注射針を傾けることを可能にする、引込み式注射針を傾ける装置を提供すること。【解決手段】  バレル内に収容される注射針アダプタは、内壁上に収容溝を有する連結管を備える。連結管は壁に長方形の孔を形成し、少なくとも１つのタングを有する片持ち梁は、長方形の孔と連結管の後方部との間に形成される。バレルに嵌合されるプランジャは、その前端部に押出しリングを備える。プランジャが注射針アダプタの連結管に前方に押込まれると、ピストンと連結されたプランジャの外部リングはタングに力を加え、開放領域の中心に向かって曲がり、押出しリングは収容溝に係合する。プランジャを後方に引くと、注射針アダプタおよび注射針はバレル内に引き込まれる。一方、片持ち梁によって外部リングに対して、タングに力が加えられるに従って、注射針は傾いて注射針先の露出を防ぐ。【選択図】  図１
2006296805.tif 000002
【特許請求の範囲】
【請求項１】
バレル内に注射針アダプタおよびプランジャと共に配置される引込み式注射針を傾ける装置であって、
前記注射針アダプタが、注射針と連結されたより小さな端部と、中空連結管を定義するより大きな端部とを備え、かつ前記プランジャがその前端部に押出しリングを備え、
かつ前記装置が、前記連結管の周囲に位置する長方形の孔と、
前記長方形の孔の端部（１つまたは複数）上に配置され、かつ自由端および固定端を有する少なくとも１つの片持ち梁と、
前記片持ち梁の自由端上に配置される少なくとも１つのタングと、
前記連結管の内壁上に配置される収容溝と、
前記プランジャの前端部上に配置される押出しリング、とを備え、
それによって、前記プランジャの前記前端部が前記連結管内に入ると、前記プランジャの中央に配置される外部リングが、互いに係合させるために前記収容溝に押出しリングを滑り込ませ、前記片持ち梁の前記タングを押すことによって、前記片持ち梁が前記長方形の孔の中心に向かって曲がり、その結果、前記プランジャを後方に引いた場合に、前記プランジャの前記押出しリングと前記注射針アダプタの前記収容溝とが係合するために、前記注射針およびその注射針アダプタが前記バレル内に引き戻され、具体的には、前記注射針が、前記プランジャの前記押出しリングおよび前記収容溝により形成される支点を有する前記片持ち梁によって軸方向に押されるに従って傾くことを特徴とする、
引込み式注射針を傾ける装置。
【請求項２】
前記注射針アダプタの前記連結管が、その壁の一方の側に収容溝を備え、したがって前記プランジャの前端部で押出しリングと係合されることを特徴とする、請求項１に記載の装置。
【請求項３】
前記注射針アダプタの前記連結管上に形成される前記収容溝が、前記長方形の孔と反対側に配置され、かつ前記片持ち梁の一方が、前記連結管の壁に連結する固定端と、前記連結管の空間から離れている自由端とを有することを特徴とする、請求項１に記載の装置。
【請求項４】
前記注射針アダプタの前記連結管上に形成される前記収容溝が、前記長方形の孔と反対側に配置され、かつ２つの片持ち梁が、前記長方形の孔の一方の側に向かい合って配置され、かつ前記片持ち梁それぞれが、前記連結管の壁に連結する固定端と、互いに離れている自由端とを有することを特徴とする、請求項１に記載の装置。
【請求項５】
前記片持ち梁の前記タングが、前記片持ち梁の前記自由端から一定距離で外側に軸方向に延在することを特徴とする、請求項１に記載の装置。
【発明の詳細な説明】
【技術分野】
【０００１】
本発明は、引込み式装置、具体的には引込み式安全注射器に適用され、かつ針先での刺創（怪我）を避けることができるように、引き込む間に注射針を傾けることができる装置（注射針引込み式注射器）に関する。
【背景技術】
【０００２】
一般に、注射器は、中空バレルと、プランジャとで構成される。バレルは注射針と連結されており、液体を収容する。プランジャの一端は、バレルに嵌合するピストンと共に配置され、もう一端はバレルから露出される。プランジャを押込むことによって、バレル内に収容された液体が針先から注入される。
【０００３】
従来の注射器では、バレルから引き離す前にシース（ｓｈｅａｔｈ）で覆う必要がある。しかしながら、このような動作は、術者が刺してしまうリスクが高い。
【０００４】
そのため、台湾特許第３９４０２７号は、支持体を有する注射針がバレル内に収容される安全注射器を提供している。その支持体の底部は、非同一平面上の２つの係止要素を備える。２つの係止要素の中央は、その内壁上にフックを有するキャビティである。プランジャを前方に押すと、コネクタが上記のフックと係合することができるように、プランジャはそのピストンにコネクタを備える。したがって、プランジャを後方に引くと、注射針をバレル内に引き戻すことができ、非同一平面上の係止要素のために、ピストンに対して傾く。
【０００５】
注射針アダプタの壁は連続しており、キャビティはフック形内端を有するため、その壁は弾力がないか、または曲げることができない。したがって、コネクタがキャビティ内に入り、フックに係合すると、非同一平面上の係止要素はコネクタをブロックすることになる。結果として、フックとコネクタとの間の係合は不可能となる。この問題を解決するために、係止要素が、変形可能なコネクタに押込まれることが可能なように、コネクタはピストンとして弾性の端表面を備えなければならない。
【０００６】
しかしながら、すべての市販の注射器のピストンは、剛性のプラスチック材料から製造された非弾性端表面を有する。つまり、上記の引込み式装置は実行不可能である。
【発明の開示】
【発明が解決しようとする課題】
【０００７】
本発明の目的は、バレル内に注射針を引き戻す間に注射針を傾けることを可能にする、引込み式注射針を傾ける装置を提供することである。
【０００８】
本発明のもう１つの目的は、前端部に弾性材料を備えようと、そうでなかろうとピストンに適しており、かつプランジャと、係合の機能を有する注射針とを備える、引込み式注射針を傾ける装置を提供することである。
【課題を解決するための手段】
【０００９】
上記の目的を達成するために、収容溝と、長方形の孔と、タング（ｔｏｎｇｕｅ）を有する片持ち梁とを有する注射針アダプタは、注射器のバレル内に配置され；その前端部に押出しリングを有するプランジャは、バレルに挿入される。プランジャを注射針アダプタの連結管内に押込むと、プランジャのピストンに連結された外部リングは片持ち梁のタングを押し付け、開放領域の中心に向かって曲がり、押出しリングは収容溝に係合することになる。プランジャを後方に引くと、注射針は、注射針アダプタを有するバレル内に引き戻され、片持ち梁の弾性および外部リングに対してタングを押し付けることによって、バレルの内壁に対して傾くことになる。
【００１０】
すなわち、本願の第１発明は、バレル内に注射針アダプタおよびプランジャと共に配置される引込み式注射針を傾ける装置であって、前記注射針アダプタが、注射針と連結されたより小さな端部と、中空連結管を定義するより大きな端部とを備え、かつ前記プランジャがその前端部に押出しリングを備え、かつ前記装置が、前記連結管の周囲に位置する長方形の孔と、前記長方形の孔の端部（１つまたは複数）上に配置され、かつ自由端および固定端を有する少なくとも１つの片持ち梁と、前記片持ち梁の自由端上に配置される少なくとも１つのタングと、前記連結管の内壁上に配置される収容溝と、前記プランジャの前端部上に配置される押出しリング、とを備え、それによって、前記プランジャの前記前端部が前記連結管内に入ると、前記プランジャの中央に配置される外部リングが、互いに係合させるために前記収容溝に押出しリングを滑り込ませ、前記片持ち梁の前記タングを押すことによって、前記片持ち梁が前記長方形の孔の中心に向かって曲がり、その結果、前記プランジャを後方に引いた場合に、前記プランジャの前記押出しリングと前記注射針アダプタの前記収容溝とが係合するために、前記注射針およびその注射針アダプタが前記バレル内に引き戻され、具体的には、前記注射針が、前記プランジャの前記押出しリングおよび前記収容溝により形成される支点を有する前記片持ち梁によって軸方向に押されるに従って傾くことを特徴とする。
【００１１】
本願の第２発明は、前記第１発明において、前記注射針アダプタの前記連結管が、その壁の一方の側に収容溝を備え、したがって前記プランジャの前端部で押出しリングと係合されることを特徴とする。
【００１２】
本願の第３発明は、前記第１発明において、前記注射針アダプタの前記連結管上に形成される前記収容溝が、前記長方形の孔と反対側に配置され、かつ前記片持ち梁の一方が、前記連結管の壁に連結する固定端と、前記連結管の空間から離れている自由端とを有することを特徴とする。
【００１３】
本願の第４発明は、前記第１発明において、前記注射針アダプタの前記連結管上に形成される前記収容溝が、前記長方形の孔と反対側に配置され、かつ２つの片持ち梁が、前記長方形の孔の一方の側に向かい合って配置され、かつ前記片持ち梁それぞれが、前記連結管の壁に連結する固定端と、互いに離れている自由端とを有することを特徴とする。
【００１４】
本願の第５発明は、前記第１発明において、前記片持ち梁の前記タングが、前記片持ち梁の前記自由端から一定距離で外側に軸方向に延在することを特徴とする。
【発明の効果】
【００１５】
本発明はバレル内に注射針を引き戻す間に注射針を傾けることを可能にする、引込み式注射針を傾ける装置を提供することが可能となる。
本発明は前端部に弾性材料を備えようと、そうでなかろうとピストンに適しており、かつプランジャと、係合の機能を有する注射針とを備える、引込み式注射針を傾ける装置を提供することが可能となる。
【発明を実施するための最良の形態】
【００１６】
以下、添付図面を参照して本発明の好適な実施の形態を詳細に説明する。
【００１７】
図１および２はそれぞれ、本発明に従った第１実施形態の爆発図および結合図（ｃｏｍｂｉｎａｔｉｖｅ  ｖｉｅｗ）である。注射器は、バレル１０、プランジャ２０、注射針アダプタ３０の一端に配置された注射針４０、および注射針４０を覆うために使用されるシース５０を備える。
【００１８】
バレル１０は、その前部内腔１２に段付き断面を有し、その後部内腔１４に外側延長部１６を有する中空管である。
【００１９】
注射針アダプタ３０は、バレル１０の前部内腔１２内に配置され、段付き内壁によって止められる。プランジャ２０の一端は、ピストンと連結され、かつバレル１０に挿入される外部リング２２を備える。プランジャ２０を押込むことによって、外部リング２２は注射針アダプタ３０の方へ移動する。
【００２０】
プランジャ２０の外部リング２２はさらに、その前端部にシャフト２４を備える。シャフト２４の前部は押出しリング６２で囲まれており、その前端部に突出部６４が形成される。
【００２１】
注射針アダプタ３０は、注射針４０と連結された先端部３２と、先端部３２と連結された中空連結管３４とを備える。先端部３２、連結管３４、および注射針４０の液体は通じている。
【００２２】
図３は、第１実施形態の注射針アダプタを示す。注射針アダプタ３０の先端部３２は、その後方端に開口部３６を備える。収容溝６６が、連結管３４の壁にある長方形の孔６８を有する連結管３４の内壁に形成される。図３Ａにおいて、２つの片持ち梁７２が、長方形の孔６８の一端で形成され、空間７４によって隔てられている。片持ち梁７２それぞれが、その自由端にタング７６を備える。片持ち梁７２は連結管３４の後方部から延在し、長方形の孔６８の一部を占める。タング７６もまた、連結管３４の後方端から一定距離で後方に延在する。
【００２３】
図４および５は、それにおいてプランジャ２０のシャフト２４が徐々に連結管３４に接近する、使用中の第１実施形態の注射器の断面である。最終的に、突出部６４は開口部３６に入り、押出しリング６２は収容溝６６に係合する。一方では、片持ち梁７２が、外部リング２２によって力が加えられ、長方形の孔６８の中心に向かって曲げられる。
【００２４】
注入が完了した後、プランジャ２０は後方に引かれることになる。押出しリング６２と収容溝６６とが係合するため、注射針アダプタ３０もまた、プランジャ２０と共にバレル１０の中央１８に引き戻される。具体的には、より大きな内径を有するバレル１０の中央１８は、注射針アダプタ３０がその中で傾くのに十分な空間を有する。図６は、バレル１０に引き込まれた注射針４０および注射針アダプタ３０を示す。
【００２５】
図６に示すように、プランジャ２０の外部リング２２によって、注射針アダプタ３０のタング７６に力が加えられるに従って、片持ち梁７２が傾く。したがって、注射針アダプタ３０がプランジャ２０と共にバレル１０の中央１８に引き込まれると、プランジャ２０の押出しリング６２と収容溝６６との係合によって形成される支点および片持ち梁７２により提供される軸方向の弾性によって、注射針アダプタ３０はバレル１０の中央１８で傾くことができる。
【００２６】
図７および８は、本発明による第２実施形態の爆発図および結合図（ｃｏｍｂｉｎａｔｉｖｅ  ｖｉｅｗ）である。注射器は、バレル７０と、プランジャ８０と、注射針アダプタ９０とを備える。バレル７０は第１実施形態と同様であり、プランジャ８０の外部リング８２は、その前端部でシャフト８４と連結されている。シャフト８４は、その前部が押出しリング１００で囲まれており、その前端部に突出部１１０を有する。プランジャ８０はバレル７０の後方端から挿入され、注射針４０と連結された注射針アダプタ９０はバレル７０の前端部に配置される。図９は、第２実施形態の注射針アダプタを示す。注射針アダプタ９０は、その前端部に先端部９２と、その後方端に連結管９４とを備える。開口部１２０は、先端部９２の後方端に形成される。連結管９４は、その内面に収容溝１３０を備える。長方形の孔１４０は、連結管９４の壁に形成される。片持ち梁１５０は、連結管９４の後方部から延在し、長方形の孔１４０の一部を占める。片持ち梁１５０は、その自由端にタング１６０を有し、そのタング１６０は連結管９４の後方端から一定距離で後方に延在する。
【００２７】
図１０は、図９に示される注射針アダプタと同様である、第３実施形態の注射針アダプタを示す。それらの違いは、そのそれぞれの自由端にタング１８０を有する２つの片持ち梁１７０が、長方形の孔１４０の一端に配置されることである。
【００２８】
図１１および１２は、使用中の第２の実施形態の注射器の断面図である。注入中、プランジャ２０は注射針アダプタ９０の連結管９４に押込まれる。次いで、突出部１１０は開口部１２０に嵌合され、押出しリング１００は収容溝１３０に係合される。一方、リング８２によってタング１６０に力が加えられ、その結果、片持ち梁１５０は長方形の孔１４０の中心に向かって曲がることができる。
【００２９】
図１３は、第２実施形態に従ってバレル内に引き込まれた注射針および注射針アダプタを示す。プランジャ８０を後方に引くと、押出しリング８２と収容溝１３０とが係合するため、注射針アダプタ９０は、プランジャ８０と共にバレル７０内に引き戻される。具体的には、より大きな内径を有するバレル７０は、注射針アダプタ９０がその中で傾くのに十分な空間を有する。プランジャ８０の外部リング８２によって注射針アダプタ９０のタング１６０に力が加えられるに従って、片持ち梁１５０が傾く。したがって、注射針アダプタ９０がプランジャ８０と共にバレル７０内に引き込まれると、プランジャ８０の押出しリング１００と収容溝１３０との係合によって形成される支点および片持ち梁１５０により提供される軸方向の弾性によって、注射針アダプタ９０はバレル７０において傾くことができる。
【００３０】
上記の好ましい実施形態に従って、本発明の注射針アダプタは主として、長方形の孔と、タングを有する少なくとも１つの片持ち梁と、を備える。片持ち梁の弾性およびタングの押込み力によって、注射針がバレルの内壁に向かって傾ことになる。さらに、かかる設計によって、針先での誤穿刺を防ぐことができる。さらに、本発明の片持ち梁は変形可能であることから、弾性ピストン端部を備える、または備えないいずれのプランジャも注射針アダプタと係合することができる。
【図面の簡単な説明】
【００３１】
【図１】本発明に係る第１実施形態の分解組立図である。
【図２】第１実施形態の注射器の結合した断面図（ｃｏｍｂｉｎａｔｉｖｅ  ｖｉｅｗ）である。
【図３Ａ】第１実施形態の注射針アダプタを示す斜視図である。
【図３Ｂ】第１実施形態の注射針アダプタを示す斜視図である。
【図４】使用状態を説明するための一部を省略した注射器の断面図である。
【図５】使用状態を説明するための一部を省略した注射器の断面図である。
【図６】第１実施形態によるバレル内に注射針および注射針アダプタが引き込まれた一部を省略した注射器の断面図である。
【図７】本発明による第２実施形態の注射器の分解組立図である。
【図８】第２実施形態の結合した注射器の断面図（ｃｏｍｂｉｎａｔｉｖｅ  ｖｉｅｗ）である。
【図９】第２実施形態の注射針アダプタを示す図である。
【図１０】第３実施形態の注射針アダプタを示す図である。
【図１１】使用状態を説明するための一部を省略した注射器の断面図である。
【図１２】使用状態を説明するための一部を省略した注射器の断面図である。
【図１３】第２実施形態によるバレル内に注射針および注射針アダプタが引き込まれた一部を省略した注射器の断面図である。
【符号の説明】
【００３２】
１０・・・バレル
１２・・・前部内腔
１４・・・後部内腔
１６・・・外側延長部
１８・・・中央
２０・・・プランジャ
２２・・・外部リング
２４・・・シャフト
３０・・・注射針アダプタ
３２・・・先端部
３４・・・中空連結管
３６・・・開口部
４０・・・注射針
５０・・・シース
６２・・・押出しリング
６４・・・突出部
６６・・・収容溝
６８・・・長方形の孔
７０・・・バレル
７２・・・片持ち梁
７４・・・空間
７６・・・タング
８０・・・プランジャ
８２・・・外部リング
８４・・・シャフト
９０・・・注射針アダプタ
９２・・・先端部
９４・・・連結管
１００・・・押出しリング
１１０・・・突出部
１２０・・・開口部
１３０・・・収容溝
１４０・・・長方形の孔
１５０・・・片持ち梁
１６０・・・タング
１７０・・・片持ち梁
１８０・・・タング
【図１】
2006296805.tif 000003
【図２】
2006296805.tif 000004
【図３Ａ】
2006296805.tif 000005
【図３Ｂ】
2006296805.tif 000006
【図４】
2006296805.tif 000007
【図５】
2006296805.tif 000008
【図６】
2006296805.tif 000009
【図７】
2006296805.tif 000010
【図８】
2006296805.tif 000011
【図９】
2006296805.tif 000012
【図１０】
2006296805.tif 000013
【図１１】
2006296805.tif 000014
【図１２】
2006296805.tif 000015
【図１３】
2006296805.tif 000016